(57)【要約】  サーバ上に格納されたデータ及びアプリケーションソフトウェアの使用がクライアント装置からの要求に応じてクライアント装置に選択的にダウンロードされる、サーバベースのアプリケーションがクライアント装置上においてアクセスされ実行されることを可能にするインターネットベースのオペレーティングシステムである。サーバとクライアント装置の間において安全な通信が容易に確立され得るため、遠隔データアクセスの多数の伝統的な問題が克服される。典型的にはジャバコードであるアプリケーションソフトウェアは、固有にウイルスに耐久性があるプログラミング言語を提供する。クライアント装置を運用する最終ユーザは、ソフトウェアを購入して自分のマシン上にインストールして維持する必要なしに幅広い種類のアプリケーションソフトウェアにアクセスし得る。使用が容易なＧＵＩを使用して、ユーザはアプリケーションを選択し、既存のファイルを開き、又は新規なファイルを作成する。アプリケーション実行コードは、典型的にはＸＭＬであるマークアップ言語のストリーム内に埋め込まれたリンクにより識別される。前記オペレーティングシステムは、複合アプリケーションが限られたメモリ／記憶能力を有する小型軽量クライアント上において実行されることを可能にする。
2008545181.tif 000002
【特許請求の範囲】
【請求項１】
ａ）実行可能コードを含む少なくとも一つのアプリケーションプログラムと、ユーザに関連付けられた少なくとも一つのデータファイルと、ユーザに関連付けられた嗜好情報を含むサーバと、
ｂ）ウェブブラウザを実行するように適応されたクライアント装置であって、前記ブラウザがマークアップ言語のストリームを分析するための手段、前記マークアップ言語のストリームによりリンクされたコードを実行するための手段、及びユーザインターフェースを備えており、前記サーバに通信可能に接続されているクライアント装置と、
ｃ）前記クライアント装置のユーザによって生成されたコマンドにより、前記マークアップ言語のストリーム中に前記実行可能コードへのリンクを埋め込むための前記サーバに配置された手段
を備えたインターネットオペレーティングシステムであって、
前記少なくとも一つのアプリケーションプログラムの前記実行可能コードが前記クライアント装置の前記ブラウザ内において実行され、前記アプリケーションプログラムとユーザの相互作用が前記ユーザインターフェースを介している、インターネットオペレーティングシステム。
【請求項２】
前記サーバが、
ｄ）ウェブサーバ層
をさらに備えている、請求項１に記載のインターネットオペレーティングシステム。
【請求項３】
前記ウェブサーバ層がアパッチ（Apache）ウェブサーバソフトウェアを備えている、請求項２に記載のインターネットオペレーティングシステム。
【請求項４】
前記サーバが、ＣＧＩとＦａｓｔＣＧＩのうちの少なくとも一つを実施するための手段をさらに備えている、請求項１に記載のインターネットオペレーティングシステム。
【請求項５】
前記ユーザ嗜好情報がユーザセキュリティ情報を備えており、
ｄ）前記ユーザセキュリティ情報に基づいて前記少なくとも一つのデータファイルと前記少なくとも一つのアプリケーションプログラムへのアクセスを制御するための前記サーバに配置された手段
をさらに備えた、請求項１に記載のインターネットオペレーティングシステム。
【請求項６】
ｄ）少なくとも一部について前記ユーザ嗜好情報により決定された外観を有するインテロス（Interos）グラフィカルユーザインターフェース（ＧＵＩ）を提供するための前記サーバに配置された手段
をさらに備えた、請求項１に記載のインターネットオペレーティングシステム。
【請求項７】
前記ＧＵＩが、ユーザが何らかの新しいことを行うこと、何らかの保存されたものを開くこと、システムにユーザが準備されたことを示すこと、及び設定を変更することをそれぞれ可能にする「新規」、「開く」、「次」及び「設定」を含む四つのそれぞれの処理のうちの一つを起動するために適応された、前記ＧＵＩ上に配置された四つの動作起動領域を備えている、請求項６に記載のインターネットオペレーティングシステム。
【請求項８】
前記マークアップ言語のストリームが、ＨＴＭＬ、ＸＭＬ及びＸＨＴＭＬのうちの少なくとも一つを含む、請求項１に記載のインターネットオペレーティングシステム。
【請求項９】
前記少なくとも一つのアプリケーションプログラムが、職場／生産性、データベース、通信、マルチメディア、画像処理及びゲームのグループから選択されるアプリケーションを含む、請求項１に記載のインターネットオペレーティングシステム。
【請求項１０】
前記少なくとも一つのアプリケーションプログラムがオープンソースコードを含む、請求項１に記載のインターネットオペレーティングシステム。
【発明の詳細な説明】
【技術分野】
【０００１】
（関連出願）
本出願は、２００５年５月１０日出願の米国仮出願シリアル番号６０／６７９，２２４、３５Ｕ．Ｓ．Ｃ．§１１９（ｅ）に従って優先権を主張する。
【０００２】
（発明の分野）
本発明は、オペレーティングシステム及びグラフィカルユーザインターフェースに関し、特に、アプリケーションプログラム、文書及び媒体のカスタマイズされたレポジトリに、動的かつ選択的にユーザのアクセスを可能にする安全なウェブベースのマルチタスク・グラフィカルユーザインターフェースを含むウェブベースのオペレーティングシステムに関する。
【背景技術】
【０００３】
（発明の背景）
コンピュータが広く存在するようになるにつれて、人々は次第にコンピュータを基礎的なツールとして、並びに通信、遊興及び娯楽装置のための装置として頼り始めた。実際に、コンピュータは多くの他の機能を実行し、多数の他の役割を果たす。コンピュータ使用の急増は、主として過去数年に亘る費用における急激な減少が原因である。小型化は、コンピュータの処理能力が徐々に小さい空間にパッケージ化されることをも可能にし、その結果、ユーザが移動可能になることを可能にした。従って、ユーザは徐々に小さくなる装置上において利用可能にされた高度化されたアプリケーションを要求する。
【０００４】
例えば、個人用データ補助装置（ＰＤＡ）は、小型オペレーティングシステムにより現在利用可能であり、従来伝統的なデスクトップコンピュータ上でのみ利用可能であったアプリケーションソフトウェアを実行することが可能である。携帯電話ですら、たった数年前には想像もつかなかったデータ処理能力を現在有している。
【０００５】
歴史的に、ほとんどの計算は、取り付けられた「データ処理能力のない」（すなわち常駐の計算能力がたとえあったとしても少ししか有しない周辺機器の端末）端末を有する中央のメインフレームコンピュータ上において実行された。中央で実行され、アプリケーションソフトウェアはメインフレーム上で動作し（すなわち実行され）、ユーザは取り付けられた端末から当該ソフトウェアと相互作用した。端末は、典型的にテキストベースであり、端末とメインフレームの間で通信は、一般的に専用のケーブル上において周知のＲＳ−２３２プロトコルのようなシリアル通信プロトコルを経由した。一般的にテキストの通信は限られた通信帯域幅のみを必要とするため、通信速度は制限されていたが重大な障害ではなかった。
【０００６】
コンピュータアプリケーションソフトウェアが高度化において向上し、グラフィカルユーザインターフェース（ＧＵＩ）がより有名になるにつれて、必要とされる通信帯域幅は顕著に増加した。幸いにも、コンピュータハードウェアの費用は、個人のコンピュータ上の元の位置で、高度なソフトウェアアプリケーションを実行することが可能になる点まで減少した。必要な場合には、通信はデータを送信し、メインフレームからデータを受信するために提供され得る。
【０００７】
２１世紀の初頭において、アプリケーションソフトウェアの大部分は、典型的にインターネット又は他のそのようなネットワークを介して、遠隔サーバへ提供されているリンケージを備えた独立型計算装置上において実行されている。
【０００８】
しかしながら、これまで以上に高度なアプリケーションプログラムによって要求される増加するハードウェア要件とより小さい（例えば携帯型）計算装置の衝突は、「メインフレーム」に相互接続された遠隔に分散した装置によるアプリケーションソフトウェアの中央の実行の概念への帰還を再び示唆した。この問題をより良く示すのは、現在の携帯電話ハンドセットにおける他はない。現在の世代のハンドセットは、高解像度ＬＣＤ又はより小さい表示部を使用して実施されたグラフィカルユーザインターフェースを有する。しかしながら、軽量の電話に対する需要は、ハンドセットにおいて利用可能な処理能力及び保存能力の両方を制限する。よって、現世代のハードウェア装置が十分な処理能力を有し得る一方、それらが現代のアプリケーションソフトウェアを保存するのに十分な大容量記憶装置を提供することが未だできない。よって、遠隔サーバ上においてアプリケーションソフトウェアを保存し、そこに特定のコンピュータデバイス（例えば携帯電話機又はスマート端末として機能するＰＤＡ）がアクセスすることを可能にすることが非常に望ましい。
【発明の開示】
【課題を解決するための手段】
【０００９】
（発明の要旨）
本発明のシステム及び方法は、サーバ上に格納されたアプリケーションソフトウェアがクライアント装置のユーザにそこからの要求時に選択的にダウンロードされ得るインターネットベースのオペレーティングシステムを提供する。このことは、サーバベースのアプリケーションが、そこから遠隔に位置するクライアント装置上においてアクセスされその後実行されることを可能にする。安全な通信はサーバとクライアント装置の間において容易に構築され得るので、遠隔データアクセスの多くの従来の問題は克服される。
【００１０】
本明細書において使用されるように、アプリケーションソフトウェアは、オフィス／生産性ソフトウェア（例えばワードプロセッサ、表計算ソフトなど）、データベース、通信、マルチメディア、画像化及びゲームのカテゴリーからのアプリケーションを含む。典型的には、アプリケーションソフトウェアは、本質的にウイルスに耐えられるプログラミング言語を提供するジャバ（Ｊａｖａ）で書かれる。サーバから遠隔に位置付けられたクライアント装置を操作する最終ユーザは、その結果自己のマシン上のソフトウェアを購入し、インストールし維持する必要なしに幅広い種類のアプリケーションソフトウェアにアクセスして実行し得る。使いやすいインターフェース（すなわちＧＵＩ）を使用することにより、ユーザは容易に適切なアプリケーションを選択し、既存のファイル（例えば文書、フォルダ等）を開き又は新しいファイルを作成し得る。前記インターフェースは、いくつかのアプリケーションをマルチタスクにすることを可能にする。アプリケーションソフトウェア（すなわち、実行可能コード）は、典型的にはＸＭＬ又はその派生物若しくは同等物であるマークアップ言語のストリームにより定義されるページ内に組み込まれる。実行可能コードは、ＸＭＬストリーム内に組み込まれるタグのようなリンクによって一般に参照される。本発明のシステムは、複合アプリケーションが制限されたメモリ／記憶容量を有する小さい（例えば「薄い」）クライアント装置上において実行されることを可能にする。サーバは、ユーザのファイルのための安全制御と共に記憶装置を提供する。
【００１１】
本発明のインテロス（Interos）オペレーティングシステムは、それによりカスタマイズされたＧＵＩがクライアント装置上において利用可能にされることを可能にするユーザ嗜好を維持する。
【００１２】
以前に知られた少なくとも三つの手法及び技術が、インターネットベースのオペレーティングシステムを効果的にするものを実行するための新規な方法において利用される。新規なオペレーティングシステムの一実施例は、インターネット及びオペレーティングシステムから派生された頭字語インテロスである。
【００１３】
従って、本発明の目的は、ローカルクライアント計算装置から離れたサーバ上において、ソフトウェアアプリケーションプログラムを格納するためのインターネットベースのオペレーティングシステムを提供することである。
【００１４】
本発明の更なる目的は、遠隔サーバとローカルコンピュータ装置の間の通信は例えばインターネットのようなネットワークによる、ローカル計算装置から離れてアプリケーションソフトウェアを格納することを可能にするための方法及びシステムを提供することである。
【００１５】
本発明の別の目的は、ユーザがカスタマイズ可能なグラフィカルユーザインターフェース（ＧＵＩ）を有するインターネットベースのオペレーティングシステムを提供することである。
【００１６】
本発明の更なる目的は、ユーザとの相互作用を提供するための色のボタンを使用する使いやすく単純化されたＧＵＩを有するインターネットベースのオペレーティングシステムを提供することである。
【００１７】
後続の詳細な説明との関係において考慮されるとき、添付の図面を参照することにより本発明の完全な理解が得られる。
【発明を実施するための最良の形態】
【００１８】
（好適な実施形態の詳細な説明）
本発明は、サーバ上の種々のアプリケーションプログラム及び他のリソースの幅広い範囲へのユーザメニューのような選択的なアクセスを可能にする、安全なグラフィカルユーザインターフェース（ＧＵＩ）を含む仮想的なインターネットベースのオペレーティングシステムを提供する。
【００１９】
オペレーティングシステムは、ほとんどのコンピュータ上において動作する最も重要なプログラムである。それぞれの汎用コンピュータは、他のプログラムを実行するためにオペレーティングシステムを利用しなければならない。オペレーティングシステムは、周辺機器（すなわちキーボード、ポインティングデバイス又は他の入力装置）からの入力を認識し、表示画面に情報を書き込み、記憶装置上においてファイル及びディレクトリの追跡を維持し、ディスクドライブ及びプリンタのような周辺機器を制御するような基本タスクを実行する。
【００２０】
大規模なコンピュータシステムにおいて、オペレーティングシステムはさらに大きな責任及び力を有する。それは、異なるプログラム及びユーザが互いに妨げることなく同時に実行することを確実にする交通巡査のようである。オペレーティングシステムは、さらにセキュリティについて大きな責任があり、許可されていないユーザがシステムにアクセスしないことを保証している。
【００２１】
オペレーティングシステムは、その頂点においてアプリケーションプログラムと呼ばれる他のプログラムが動作し得るソフトウェアプラットフォームを提供する。しかしながら、各アプリケーションプログラムは、特定のオペレーティングシステムの頂点において動作するように書かれなければならない。従って、オペレーティングシステムの選択は、動作し得るアプリケーションを大きく決定する。ＰＣにとって、歴史的に最も人気のあるオペレーティングシステムはＤＯＳ、ＯＳ／２及びウィンドウズ（Windows）であるが、リナックス（Linux）のような他のものが利用可能である。
【００２２】
コンピュータユーザは、通常、コマンドのセットを通じて、オペレーティングシステムと相互作用する。例えば、ＤＯＳオペレーティングシステムは、ファイルをコピーしファイルの名前を変更するために、それぞれコピー（COPY）及びリネーム（RENAME）のようなコマンドを含む。コマンドは、コマンドプロセッサ又はコマンドラインインタープリタと呼ばれるオペレーティングシステムの一部によって、受け取られて実行される。グラフィカルユーザインターフェースは、ユーザがタッチパッドを使用することによって、又はコンピュータマウス若しくは他のそのような装置により、画面上に現れる物体においてポイントし、かつクリックすることによってコマンドを入力することを可能にする。
【００２３】
全ての伝統的なオペレーティングシステムは、特定のローカル計算装置上において動作する。装置は縮小したため、伝統的なオペレーティングシステムも、例えばＰＤＡ又は携帯電話機の制限されたリソースにおいて操作するために縮小した。従来のコンピュータの使用において、各アプリケーションプログラムは、計算装置に関連したローカルの記憶装置上に所在し、典型的にはＧＵＩ及びポインティングデバイスを使用して、ユーザによるコマンドに際して実行される。
【００２４】
本明細書の以上において述べられたように、この従来の計算環境は多くの問題に苦しむ。これらの問題は、本発明のシステム及び方法を使用することによって容易に克服される。
【００２５】
ローカル計算装置（すなわちクライアント）が図形的表示、ＧＵＩ入力、ウェブブラウザ（例えば、マイクロソフト（Microsoft）インターネットエクスプローラ（Internet Explorer、商標）又は同様のもの）及びネットワーク接続機能を有することは、開示の目的のために仮定される。さらに、開示の目的のために、ネットワーク接続がインターネットを含むことが仮定される。インターネット及びワールドワイドウェブ（ｗｗｗ又はウェブ）の語もまた、本明細書において相互交換可能に使用される。
【００２６】
混合されたテキストと図形情報を表示画面上に提示することは良く知られている。最も基礎的な実施において、このことは一連の拡張マークアップ言語（ＸＭＬ）ライブラリを使用して行われる。ウェブブラウザはＸＭＬコマンドストリームを分析し、続いてＸＭＬコマンドストリームにより定義されたコンテンツが計算装置の表示画面上に表示される。複雑な図形表示がＸＭＬを使用して容易に生成され得るが、ＸＭＬは一方向の記述的言語である。すなわち、一旦ＸＭＬコマンドストリームがサーバから送信されると、ユーザに表示されるコンテンツを動的に変更するための設備は存在しない。ＸＭＬはマークアップコマンドの特定のセットを定義するが、本明細書においてＸＭＬの語は、任意の類似のマークアップ言語（例えばＨＴＭＬ、ＸＨＴＭＬ等）を指すために一般的に使用される。
【００２７】
静的なＸＭＬ表現の制限を克服するために、共通ゲートウェイインターフェース（ＣＧＩ）のようなプログラミング技術が開発された。ＣＧＩは、ワールドワイドウェブサーバとＣＧＩプログラム（すなわちＣＧＩ仕様に一致するデータを受け取って返すように設計された任意のプログラム）の間において情報を転送するための仕様である。ＣＧＩ言語は、例えばＣ、Ｐｅｒｌ（商標）、ジャバ（商標）、Ｖｉｓｕａｌ  Ｂａｓｉｃ（ビジュアルベーシック、商標）、ＡＳＰ（商標）、ＰＨＰ等を含む任意のプログラム言語により書かれ得る。ＣＧＩプログラムは、ウェブサーバがユーザと動的に相互作用するための方法を提供する。例えば、フォームを含むＨＴＭＬページは、フォームが提出されるとフォームのデータを処理するためのＣＧＩプログラムを使用し得る。ＣＧＩプログラムはサーバにおいて実行され、クライアントにおいては実行されない（すなわちＣＧＩはサーバ側のアプリケーションである）ことに留意すべきである。
【００２８】
ＣＧＩに伴う一つの問題は、ＣＧＩスクリプトが実行される各回に、新たな処理が開始されることである。忙しいウェブサイトにとっては、このことはサーバを著しく遅延させ得る。この問題は、ＣＧＩに対するＦａｓｔＣＧＩ（ファストＣＧＩ）拡張又は他の既知の技術を利用することにより克服され得る。
【００２９】
ＣＧＩは、動的インターフェース言語として考えられ得る。ＣＧＩは、例えばユーザが事務管理部門データベースとインターフェースを取り、又はユーザに対するサーバ出力を書式化する際に有用であるが、ＣＧＩ内には、本発明のシステム及び方法により提供されるようにクライアント上のソフトウェアアプリケーションの実行コードを動的に選択して安全にダウンロードするための設備は存在しない。
【００３０】
ＣＧＩ技術はそのような限定された特徴しか提供しないため、ウェブページの動的な相互作用による生成のための他の代替例が見付けられなければならない。現在、そのようなソリューションのほとんどは、ジャバ（Ｊａｖａ）又はジャバスクリプトに依存する。ジャバは、プラットフォームから独立したオブジェクト指向プログラミング言語である（すなわち、同一のジャバプログラムは変更なしに全てのハードウェアプラットフォーム上において動作する）。ジャバは元々サンマイクロシステムズ（Sun Microsystems）により開発され、クライアント及びサーバ処理の両方のために幅広く使用されている。ジャバは組み込まれて動作するように設計され、ＰＤＡ、セルラー電話等のために設計されたアプリケーションにとって理想的にされた。
【００３１】
ジャバプログラムはウェブページから呼び出され、又は独立して動作し得る。ウェブページから起動するとき、プログラムはジャバ「アプレット」と呼ばれる。非ウェブベースジャバプログラムがユーザのマシン上において動作されるとき、プログラムはジャバ「アプリケーション」である。
【００３２】
ジャバアプレットは、本発明に特に関連している。これらのプログラムは、命令を解釈する（すなわちプログラムを実行する）ジャババーチャルマシン（ＪＶＭ）と共に、サーバからダウンロードされてブラウザから実行される。ジャババーチャルマシンは、ブラウザプラグインとして、又は任意の他の方法により実施される。ジャバ以外の言語（例えばフラッシュ（Flash））もまた使用され得ることが、さらに認識されるであろう。いずれの場合においても、実行されるべきコードの言語に一致するランタイム環境（ＲＴＥ）が提供されなければならない。本明細書において使用されるように、「バーチャルマシン」及び「ランタイム環境」の語は、相互変更可能に使用されている。ジャバプログラムのソースコード（例えばアプレット）は、「バイトコード」と呼ばれる中間言語にコンパイルされる。バイトコードを実行するために、マシンコードにプリコンパイルされるか、ブラウザにより実行されるアプレットと同様に必要とされる直前にＪＶＭにより解釈されなければならない。ジャバは元々１９９１年に、セットトップボックス及び他の消費者指向装置において使用されるアプリケーションのような組み込み済アプリケーション用の言語として開発された。ジャバアプリケーションとアプレットはクライアント側において穏やかに成功したが、サーバ上のジャバは非常に普及した。
【００３３】
ジャバは十分に発達したプログラミング言語である一方、ジャバスクリプトは範囲において遥かに限られたスクリプト言語である。ジャバスクリプトソースコードはバイトコードにコンパイルされず、むしろＨＴＭＬページ内に組み込まれて主にページ自体の上の要素を操作するために使用される。例えば、ジャバスクリプトはページ上のドロップダウンメニュー又は他のインタラクティブイベントを提供するために広く使用される。ジャバスクリプトは、ウェブブラウザ及び他のブラウザ型アプリケーションにおいて広くサポートされている。ジャバスクリプトはＨＴＭＬページに相互作用機能を付加するために使用され得る。ＨＴＭＬは表示言語であってプログラミング言語ではないため、前記相互作用機能は別の面では静的である。ジャバスクリプトはジャバより容易に使用されると考えられるが、ジャバほど強力ではなく主にウェブページ上の要素を取り扱う。クライアント装置上において、ジャバスクリプトはＨＴＭＬページ内に組み込まれたソースコードとして維持される。
【００３４】
ジャバスクリプトはジャバのプログラミングオーバーヘッドを有しないが、ジャバと連結して使用され得る。例えば、ジャバスクリプトはデータ入力フォームを表示して入力を有効にするために使用され得る一方、ジャバアプレット、ジャバサーブレット又はＣＧＩは情報をより完全に処理する。ジャバスクリプトはまた、ジャバアプレットを共に結合するためにも使用される。しかしながら、ジャバ及び／又はＣＧＩを伴うジャバスクリプト及び他の言語又は技術の実施でさえ、本発明により提供される安全な統合環境においてウェブベースのアプリケーションの実行における機能のレベルを許容することが可能な環境又は技術的基盤を提供することに依然失敗している。
【００３５】
ウェブページの相互作用性及び動的性質をさらに向上させるために、その略語ＡＪＡＸによってより良く知られる、非同期ジャバスクリプト及びＸＭＬと呼ばれる技術が進化した。ＡＪＡＸは、インタラクティブウェブアプリケーションを作成するために有用な技術である。その意図は、場面の背後のサーバと少量のデータを交換することにより、ウェブページをユーザにとってより反応良く感じさせることである。ウェブページの一部のみを交換することにより、全体のウェブページはユーザが変更を行う各回に再ロードされる必要がない。このことは、ウェブページの相互作用性、速度及び利用可能性を増加させる。
【００３６】
ＡＪＡＸ技術は、マークアップ及びスタイル情報のためのカスケーディングスタイルシート（ＣＳＳ）とＸＨＴＭＬ（又はＨＴＭＬ）の組み合わせを使用する。
【００３７】
文書オブジェクトモデル（ＤＯＭ）は、提示された情報を動的に表示してこれと相互作用するために、ジャバスクリプト又はＪスクリプトに似たクライアント側スクリプト言語によりアクセスされる。
【００３８】
ＸＭＬｈｔｔｐ要求オブジェクトは、ウェブサーバとデータを非同期に交換するために使用される。いくつかのＡＪＡＸフレームワーク及び特定の状況において、データをウェブサーバと交換するためにＸＭＬｈｔｔｐ要求オブジェクトの代わりにＩフレームオブジェクトが使用される。
【００３９】
予め形式化されたＨＴＭＬ、プレーンテキスト及び他の当業者に知られたフォーマットを含む任意のフォーマットが機能するが、ＸＭＬは、データをサーバに転送し、データをサーバから転送するためのフォーマットとして一般に使用される。ＡＪＡＸはそれ自体において技術ではないが、技術のグループの使用を一緒に指す語である。
【００４０】
ＡＪＡＸアプリケーションは、文書オブジェクトモデルメソッドを使用してＡＪＡＸアプリケーションのブラウザ内の現在のページを操作することにより、主にクライアントマシン上において実行される。ＡＪＡＸは、全て変更が行われる各回にＨＴＭＬのページ全体をフェッチする必要なしに、レコードの更新若しくは削除、ウェブフォームの拡張、単純な検索クエリの戻し、又は分野ツリーの編集のような多数のタスクのために使用され得る。一般に、サーバに送信されるために小さな要求のみが必要とされ、比較的短い応答が送信し返される。このことは、ＤＨＴＭＬ技術の使用によるより反応の良いユーザインターフェースを特徴とするより相互作用的なアプリケーションの開発を可能にする。
【００４１】
ＡＪＡＸは開発者の動的ウェブページをユーザに提示する能力を非常に向上させるが、ＡＪＡＸ技術は、単独で又は他の既知の技術及び手法と共同で、ユーザにより選択されユーザにより制御されるアプリケーションのクライアント側の実行及びサーバベースの記憶装置を可能にすることに依然失敗している。
【００４２】
ハードウェアアナロジーにおいて、マイクロプロセッサ、ＰＡＬ、ＰＲＯＭ等の広範な使用の前に、ハードウェア装置はハードワイヤードであり、そのために設計された機能のみしか実行することができなかった。回路の性能向上又は拡張には、物理的な再配線、構成要素の置換等を必要とした。しかしながら、プログラム可能な装置の導入は、それを以って実施されるハードウェア装置の機能が、例えばＰＲＯＭを再び焼くこと等によって、再プログラミングにより変更され得ることを意味した。本発明の動的なインタラクティブシステムは、マイクロプロセッサがハードウェア設計にもたらしたものである、サーバ側に格納されたクライアント側のアプリケーションの実行戦略の柔軟性を提供する。換言すれば、本発明のシステムは、再プログラム可能なウェブベースのソフトウェアを可能にする。初めて、サーバに存在する仮想オペレーティングシステムは、例えばインターネットのようなネットワークを横断するウェブブラウザを実行するクライアント装置のユーザの必要物を提供するように利用可能である。
【００４３】
本発明のシステムの例示的な実施形態は、本明細書において説明されるインターネットオペレーティングシステム（インテロス（Interos））により提供され、インテロス・ドット・コム（interos.com）においてユーザにとって利用可能である。インテロスの実施形態は開示の目的のために選択されているが、無数の本発明の概念の代替的実施形態が可能であることが認識されるであろう。結果として、本発明は開示の目的のために選択されたインテロスの実施形態に限られて考えられない。むしろ、本発明は任意かつ全ての他の本発明の概念の実施に及ぶ。
【００４４】
最初に図１を参照すると、一般的に参照番号１００により、インテロスシステムの模式的概念図が示されている。ユーザ１０２は、ハードウェアインターフェース１０４を介してブラウザ１０６と相互作用する。ブラウザ１０６は、インターネット１１０に接続されたクライアントハードウェア装置１０８上において実行される。インターネットは開示の目的のために使用されるが、インテロスが任意のネットワーク環境において効果的に機能し得ることが認識されるであろう。結果として、本発明はインターネットに限られないが、任意かつ全てのネットワーク接続形態及び方法を含むように理解される。
【００４５】
サーバ１１２は、少なくともユーザデータ１１４と、アプリケーションソフトウェア１１６と、ユーザ統計、安全又は嗜好情報１１８を運用する。サーバ１１２はウェブサーバ層１２０とＣＧＩ層１２２を有し、立ち代わってこれらはインターネット１１０とインターフェースを取る。図１において容易に理解され得るように、インテロスは安全性を助成し信頼性のある動作のための堅牢なシステムの開発を可能にする、閉じた自己完結の環境を提供する。
【００４６】
クライアント装置１０８は、当業者に知られた広い範囲の計算及び通信装置の間から選択され得る。クライアント装置１０８はパーソナルコンピュータ（ＰＣ）、マッキントッシュコンピュータ（Ｍａｃ）、サーバ、ワークステーション、ラップトップ又はノートブックコンピュータ、リナックス（Linux）又はユニックス（Unix）をサポートする計算装置、パーソナルデータ装置（PDA）、移動体（例えばセルラー）電話、他の無線装置及びインターネット機器等であり得る。任意のプラットフォーム（例えばクライアント装置１０８）が使用され、本明細書において以下に述べられる必要条件が満たされる限り、極めて小さい組み込みリナックスを有する装置でさえ使用され得る。
【００４７】
クライアント装置１０８は、ユーザインターフェース（例えばハードウェアインターフェース１０４）を有し、かつブラウザ１０６をサポートすることが可能でなければならない。典型的には、クライアント装置１０８は図示されない表示画面と図示されないデータ入力手段を有する。しかしながら、ハードウェアインターフェース１０４は、ユーザ１０２からデータを受け取り、ユーザ１０２にデータを提供することが可能な多数の他の視覚的、聴覚的又は触覚的装置から構成され得ることが、当業者により理解されるであろう。全てのユーザのアプリケーションソフトウェア１１６との相互作用、ユーザデータ１１４との相互作用又はユーザ嗜好若しくは安全情報１１８との相互作用は、ハードウェアインターフェース１０４及びブラウザ１０６を介している。
【００４８】
ブラウザ１０６は、典型的にはウェブブラウザである。インテロスシステムは、ユーザのデータを適切に維持して保護するように基礎から設計されている。その結果、インテロスシステムは、モジラ（Mozilla、商標）・ゲッコー（Gecko、商標）ベースのブラウザにより最適に動作するように設計されている。そのようなブラウザは、ファイアフォックス（Firefox、商標）、モジラ（商標）、ネットスケープ（Netscape、商標）等を含む。これら及び他のゲッコーベースのブラウザは当業者に良く知られており、本明細書においてはさらに説明されない。これらのゲッコーベースのブラウザは、それにより提供される安全性の特徴のため、最近人気が高まった。本発明のシステムは、マイクロソフト（Microsoft）のインターネットエクスプローラ（Internet Explorer、商標）ファミリーのブラウザを使用しても満足に動作する。前記ブラウザもまた、当業者によく知られていると考えられる。現在存在し又は将来開発され得る他のブラウザが、インテロスシステムにより満足に動作することがさらに可能である。結果として、本発明は開示の目的のために選択されたブラウザに限られない。むしろ、本発明は任意かつ全ての適切なブラウザを含む。
【００４９】
適切なランタイム環境１２４が、ブラウザ１０６の一部（例えばプラグイン等）としてか、あるいはクライアント装置１０８内の他の場所に存在するかのいずれかにて、クライアント１０８内において利用可能であることが必要である。アプリケーションプログラム１１６がジャバにより書かれていると仮定すると、ランタイム環境１２４はジャバ仮想マシンである。他のプログラミング言語（例えばフラッシュ等）が、アプリケーションソフトウェア１１６を書くために使用され得る。次にランタイム環境１２４は、もちろん当該言語により書かれた実行コードをサポートしなければならない。プログラミング技術における当業者に良く知られるように、ジャバが選択された言語であるとき、ジャバソースコードがコンパイルされ、実行可能なアプリケーションソフトウェアコード１１６がジャババイトコードであることがさらに仮定される。
【００５０】
クライアント装置１０８は、サーバ１１２への接続を可能にするネットワーク接続を含むことが仮定される。本発明のシステムは、任意の適切なインターフェース機構及び／又は通信技術を使用する任意のネットワークを横断して使用され得る。そのようなインターフェース機構及び通信技術は、例えば適切な形式の電気通信（例えば音声、モデム等）、無線通信媒体、無線通信ネットワーク、セルラー通信ネットワーク、Ｇ３通信ネットワーク、公衆交換電話網（ＰＳＴＮ）、パケットデータネットワーク（ＰＤＮ）、インターネット、イントラネット及びこれらの組み合わせ等を含み得る。より具体的には、前記通信技術は、例えば無線周波数（ＲＦ）通信、赤外線（ＩＲ）通信、ＨＴＴＰ（ハイパーテキスト伝送プロトコル）、ＴＣＰ／ＩＰ（伝送制御プロトコル／インターネットプロトコル）、ＬＡＮ、ＷＡＮ、ＷＩＦＩ、ＰＰＰ（ポイント間）、ＳＳＬ（セキュア・ソケット・レイヤー）、ＴＬＳ（トランスポート層セキュリティ）、ＩｒＤａ、ＵＳＢ、ファイアワイア（Firewire、商標）、ブルートゥース（Bluetooth、商標）プロトコル、ＧＳＭ（移動体通信用全世界システム）、ＧＰＲＳ（汎用パケット無線（general packet radio、商標）システム）及びＵＭＴＳ（ユニバーサル移動電話システム）等を含み得る。結果として、本発明は開示の目的のために選択されたインターネット１１０に限られない。むしろ、本発明は前記のネットワーク接続形態、システム又は方法のいずれかと共に、任意の他の適切な既知又は未発明若しくは未設計のネットワークシステムを含む。
【００５１】
加えて、本発明により使用されるクライアント装置１０８は、本発明が任意の適切な伝送媒体を通じて使用されているネットワーク（例えばインターネット１１０）にアクセスし得る。前記伝送媒体は、例えば同軸ケーブル、ツイストペア、銅線及び光ファイバー等を含む。伝送媒体もまた、無線周波数（ＲＦ）通信及び赤外線（ＩＲ）データ通信等の間に生成されるもののように、音響、光及び電磁気波等の形態を採り得る。
【００５２】
サーバ１１２は当業者に知られており、本明細書において以下に述べられる数個の詳細を除き、本明細書においてはさらに説明されない。サーバ１１２は、同様に当業者に知られたウェブサーバ層を含む。当該アプリケーションに適切であると発見された一つのウェブサーバ層は、米国メリーランド州フォレスト・ヒルズ（Forrest Hills）のアパッチ・ソフトウェア・ファウンデーション（Apache Software Foundation）からのアパッチ（Apache）ウェブサーバである。他の類似の製品が、これに代用され得ることが認識されるであろう。
【００５３】
サーバ１１２には、共通ゲートウェイインターフェース（ＣＧＩ）１２２を実施するために適切なソフトウェアが備えられる。ＣＧＩ１２２の実施もまた良く知られており、そのため本明細書においてはより詳細に述べられない。オープン・マーケット（Open Market）からのＣＧＩに対する拡張である、持続的な接続を維持することにより性能を改善するファストＣＧＩは、インテロス１００を実施するために好適であることが発見された。
【００５４】
インテロスシステム１００の核心は、アプリケーションソフトウェアを実行可能コードとしてサーバ上に格納し、ネットワーク接続、例えばインターネット１１０を介して、そのような実行可能コードを効率的かつ安全にサーバ１１２からクライアント装置１０８に選択的にダウンロードする能力である。
【００５５】
本発明のインテロスシステムは、媒体コンテンツ記憶及び／又は配信と共に全ての計算の必要物を提供するあらゆるものを含むウェブベースのサービスとして基礎から設計された。その設計の目標は、高品質のサービス、優れたシステムの安定性、安全性、速度、使用の容易さ、並びに現在の計算環境において流行しているウイルス、スパイウェア及び他の危険かつ／又は迷惑な問題への抵抗性を含む。インテロスは、容易に理解されるように論理的な組織的階層を有し、そのカラーコード化（color-coding）はインテロスを幼児が使用するのに十分に容易なものにする。インテロスは、単純かつ高速なファイル供給を提供するが、コンテンツは商業的媒体及びソフトウェア配信のために管理され得る。インテロスは、ユーザによる無料又は低コストのアクセスのために設計されたバージョンによる宣伝を支援する。
【００５６】
ユーザがそこから容易にアプリケーションを見付けて選択することができる無料ソフトウェアの安定した基礎が提供される。「開かれた」方針が維持されるため、ソフトウェアの基礎は容易に追加され得る。ソフトウェアは、クライアントマシン上のブラウザを介して既存のランタイム環境により実行可能である言語（例えばジャバ）により書かれていることのみを必要とする。インテロスシステムは、ソフトウェアアプリケーションへのアクセスを、選択して使用することに単純化する。この設計アプローチは、ソフトウェアパッケージをダウンロードしてインストールする必要を消去する。バージョンのアップグレードがインテロス中央レポジトリ内のソフトウェアに対してなされ、そのためユーザは常にアプリケーションの最新バージョンへのアクセスを有する。
【００５７】
インテロスの使用の容易さの多くは、固有のインテロスＧＵＩの結果である。さて図２を参照すると、本発明のインテロスシステムのユーザに最初に提示されるログイン画面２００の画面写真が示されている。モジラ・ファイアフォックスブラウザが、例示的実施形態のために選択された。本明細書において上述したように、本発明のインテロスシステムと相互作用するために他の適切なブラウザが使用され得る。ブラウザ画面領域又は作業空間２０２は、図示されないコンピュータモニタ上に典型的に表示されるように、実質的に長方形である。インテロスＧＵＩにより提供されるログイン２００は、任意の特定のクライアントマシン１０８（図１）上に適切に表示されることが認識されるであろう。
【００５８】
作業空間２０２の中心には、線２０６，２０８を伴うログイン領域２０４が現れ、ここで既知又は登録済のユーザはログイン名及びパスワードをそれぞれ入力する。ボックス２０４の下には領域２１８が現れ、ここでは新規な（すなわち未知又は未登録の）潜在的ユーザが、図示されない登録ページに向けられるように「クリック」し得る。本明細書において使用されるように、クリックの語は、一般に図示されないポインティングデバイスにより、又は例えば図示されない典型的なＰＤＡ上において提供されるような接触感知画面により実行される、ＧＵＩを介して通信するためのユーザによる任意の動作を指す。
【００５９】
四つのアクション「ボタン」２１０，２１２，２１４及び２１６は、作業空間２０２の四つの角に配置される。本明細書において使用されるように、ボタンの語は、ユーザがクリックすることによりアクションを起動し又はオプションを選択し得る任意の領域又は特徴を指すために使用される。四つのボタン２１０，２１２，２１４及び２１６は、それぞれ「新規」、「開く」、「次」及び「設定」である。ボタン２１０，２１２，２１４及び２１６のそれぞれによって実行される動作は、本明細書の以下に詳細に説明される。ボタン２１０，２１２，２１４及び２１６は、固有の自然な動作の配列を示すために選択的にカラーコード化され得る。例えば、新規ボタン２１２は緑色であり、開くボタン２１０は黄色であり得る等である。
【００６０】
インテロスシステムは、直感的に理解できかつ使用が容易であるＧＵＩを実施するために、覚えやすいように暗示的であるカラーコード化されたアイコンを使用し得ることに留意されるべきである。画面２００のＧＵＩは、典型的には標準であって、インテロスシステムによって制御される。本明細書の以下に述べられるように、インテロスサーバによって格納されるユーザの嗜好は、インテロスシステムにおける後続の画面の外観を決定する。
【００６１】
さて図３を参照すると、「新規」ボタン２１２のインテロスにより生成された説明を有する画面写真２２０が示される。インテロスは、ポインティングデバイスがカーソルをボタンの一つ、例えばボタン２１０，２１２，２１４及び２１６に近接して位置付けたときに、マウスオーバーヘルプシステムを実施する。領域２２２に示される情報は、図示されないポインティングデバイスがボタン２１２に近接して位置付けられたときに取得される。このインテロスの特徴は、状況感知ヘルプの取得を容易にする。
【００６２】
さらに図３と今度は図４をも参照すると、新規ボタン２１２を押すことにより新規メニュー２２８が表示される。新規メニュー２２８から任意のアイテムを選択することにより、ユーザは新規なウェブ検索を実行し、新規なブックマークを作成し、新規な電子メールを送信し、新規な文書を作成し、新規な共有を確立し、新規な媒体を取得し、動作させるべき新規なアプリケーション及びゲームを選択することが可能になる。もちろん、新規メニュー２２８における任意のカテゴリー内の複数の選択肢の間において選択するために、サブメニューが使用され得る。本発明のシステムの特定の実施形態について必要とされるように、新規メニュー２２８にメニューエントリが追加され、又は新規メニュー２２８から既存のエントリが削除され得ることもまた認識されるであろう。メニューは、作業空間２０２の上方右の角にある「Ｘ」２２６をクリックすることにより閉じられる。
【００６３】
さらに図３と今度は図５をも参照すると、開くボタン２１０をクリックすることにより開くメニュー２２４が表示される。開示の目的のために選択されたインテロスシステムにおいては、電子メール、ウェブページブックマーク、ワードプロセッシング文書、音楽、映像、画像、アラーム、着信（incoming）及び共有の九つのメニュー選択が提示される。もちろん、特定の動作状況又は環境に適合するために、多数の他の可能性が追加又は代用され得ることが認識されるであろう。開くメニュー２２４内の任意の選択をクリックすることにより、開くために以前に保存された何かが選択される。メニュー２２４は、作業空間２０２の上方右の角にある「Ｘ」２２６をクリックすることによっても終了され得る。開くメニュー２２４からの任意のアイテムの選択は、典型的にはサーバ１１２（図１）上に格納されたデータを適切なプログラム１１６（図１）と共に利用可能にさせる。それにより、サーバ１１２とプログラム１１６の両者は使用のためにユーザにダウンロードされる。典型的には、図示されない一以上のサブメニューは、メニュー２２４中に表示された保存済アイテムの特定の区分内の潜在的に多数のデータアイテムの間から選択するために利用される。サブメニュー等を使用して特定のデータアイテムまで掘り下げることは良く知られていると考えられ、本明細書においてはさらに述べられない。
【００６４】
再び図３と今後は図６をも参照すると、次ボタン２１４を押すことにより次メニュー２３０が表示される。次メニュー２１４から、ユーザは、保存、別の実行中タスクへの切り換え、「別の名前で保存」の実行、又は、保存せずに終了、を典型的には含む可能な「次」オプションのリストを提供される。保存が選択された場合、作業中のファイル又はデータが既に存在すれば当該ファイル又はデータは更新される。そうでない場合、新規なファイルが作成され、ユーザにはファイルネームとファイルのための場所を要求するダイアログが提示される。典型的には、論理的なデフォルトファイル位置が提供される。
【００６５】
別のタスクへの切り換えが選択された場合、ユーザにより実行されている現在のタスクは開いたままになるが、バックグラウンドに格下げされる。次の論理的作業空間は、実行中のタスクのリストから選択されたものである。
【００６６】
保存せずに終了オプションが選択された場合、変化は保存されず、現在のタスクは閉じられて実行中のタスクのリストから除去される。
【００６７】
このメニューは、メニュー作業空間２０２の上方右の角にある「Ｘ」２２６をクリックすることによっても終了され得る。
【００６８】
再度図３と今度は図７をも参照すると、設定ボタン２１６をクリックすることにより設定メニュー２３２が表示される。設定メニュー２３２から、ユーザは設定を見て調整し得る。設定は、カレンダー及び時計、外観の好みと共に、他のデフォルトを含む。設定メニュー２３２は、作業空間２０２の上方右の角にある「Ｘ」２２６をクリックすることによって終了され得る。
【００６９】
インテロス・ドット・コムは、適切に設定されて保護されたフリーＢＳＤサーバ又はクラスタ上において動作させられ、将来の安全性の必要を満たすようにオープンＢＳＤ上において動作するように移植され得る。インテロス・ドット・コムは、リナックス又は任意の他の適切なプラットフォーム上において動作するように移植され得る。ＢＳＤはその堅牢性及び柔軟性のため、例示的な実施形態のために選択された。ＢＳＤは負荷バランシング、データ冗長性、拡張性、基準遵守、安定性、動作可能時間、安全性及び全体のサービスの品質の領域において良好に機能する。ＢＳＤは、注目すべき使用許諾の利点をも有する。インテロスはｍｏｄ＿ｓｓｌを有するアパッチウェブサーバを使用し、ＸＨＴＭＬ、ジャバスクリプト、カスケーディング・スタイル・シート及び動的ＸＨＴＭＬを生成するＣ言語により書かれたＦａｓｔＣＧＩからのｈｔｔｐｓを提供する。インテロスは、ユーザの文書のレポジトリとジャバにより実施されたプログラムへの安全なアクセスを提供する。ｍｏｄ＿ｓｓｌの下においては、ＴＬＳは第三者による傍受を防ぐために使用される。高度のＲＳＡ暗号化により、クラッキングの試みには極めて法外な費用が掛かることになる。インテロス・ドット・コムは任意の数の他の技術により実施され得るが、安定性、速度、安全性及び拡張性を最適化するために、現在受け入れられている、実績のあるインターネット技術が選択された。
【００７０】
インテロスは、基本的には標準汎用ウェブインターフェースを動的に生成するためのサーバ側ソフトウェアを実行する保護されたウェブサーバ又はクラスタにより構成される。前記ウェブインターフェースは、以前に保存された環境の好みの変数を使用する各ユーザのためにカスタマイズされている。前記好みは、ユーザ、又は特定の状況下におけるソフトウェアアプリケーションのいずれかによって変更され得る。
【００７１】
ユーザのアカウント情報は、プログラム及び媒体ファイルを最適に実行することが可能なウェブブラウザを介してアクセス可能である。前記アカウント情報は、暗号化及びログインコードにより保護されている。
【００７２】
インテロス・ドット・コムは、並列マルチプロセッサコンピュータ又は他の計算装置から提供され、負荷バランシングルータを通じて互いとインターネットにネットワーク化され得る。マルチプロセッサノードは、その固有の性能利益のために使用され得る。そのようなサーバ配置は当業者にとって既知であり、他の多くの選択的配置が可能であることが認識されるであろう。
【００７３】
記憶装置は、ネットワークファイルシステム（ＮＦＳ）によって提供され得て、典型的には速度及び冗長性の両方を提供するＲＡＩＤハードディスクアレイにより構成される。ＲＡＩＤレベル５は、高データ転送率及び冗長バックアップのバランスを提供するため、多用途性及び効率性のために選択された。しかしながら、他のＲＡＩＤレベル及び／又は他のディスク記憶装置接続形態もまた使用され得ることが認識されるであろう。
【００７４】
サーバクラスタは、最適化された速度、動作可能時間及びオンデマンドアクセス可能性により特徴付けられる高品質サービスを維持するためにホット拡張可能であるように設計されることが望ましい。
【００７５】
フリーＢＳＤは、クラスタ及びサブシステムの最適なソフトウェア管理を促進する。
【００７６】
本発明の概念のインターネットを基礎とする実施形態が非常に望ましいが、前記概念は企業ネットワーク環境においても実施され得ることが認識されるであろう。事業又は他の組織又は機関は、インテロス企業版の実施形態を内部ネットワーク上に配置することによって、インターネットのインテロス・ドット・コムユーザが経験する、同一の統一された使用の容易さと、全世界的アクセス可能性から利益を受けることができる。インテロス・ドット・コムは良く保護されているが、インテロス企業版は、現在私的な制御されたネットワーク内において可能である追加の安全性のレベルから利益を得ることができる。本明細書において上述された本発明の概念は、データベース並びに他の内部情報、文書及びソフトウェアへの高速かつ安全なアクセスを可能にし、高速かつ単純な強力及びファイル共有を可能にし、安全なグループレベルアクセス制御を提供する。インテロス企業版は、開発し易い環境を提供する。すなわち、標準ジャバアプリケーションがインテロス環境内において動作させられるため、ネットワークユーザに提供される利用可能なソフトウェアアプリケーションのリストに新規なアプリケーションが容易に追加され得る。
【００７７】
インテロスは、複合オンラインコンテンツ提供システム及び動作環境を提供する。コンテンツに関しては、本発明は媒体及びソフトウェア配信システムとして動作し、ユーザのファイル及びソフトウェアのためのオンラインレポジトリとして働く。本発明の概念は、ネットワーク化されたマイクロプロセッサ及び画面と共にウェブブラウザ（ジャバ等のような適切なランタイム環境を含む）を動作させる能力を有する任意のクライアント装置上において動作するオペレーティングシステムを提供することにより、現在の計算モデルの多数の問題を克服する。ジャバ、フラッシュ、ショックウェーブ（Shockwave）及び他のプラグイン及びブラウザ媒体がサポートされる。インテロス技術は、インターネットから事業の私的イントラネットまでの任意のネットワークを横断して拡張可能である。
【００７８】
インテロシタ（interositor）は、インテロス・ドット・コム又はインテロス企業版を実行させる携帯電子装置である。技術的には、適切なウェブブラウザとランタイム環境（例えばジャバ）を有する任意のクライアント装置であって、インテロス・ドット・コム又はインテロス企業版に接続されるものがインテロシタである。ハードウェアの最小構成が、本発明のインテロスシステムを利用することにより、ソフトウェアアプリケーション、媒体、個人的記憶装置及び通信／データ交換を含むユーザ計算環境を提供するための全てのコンピュータの機能が可能な、強力であるが高価でない携帯装置を生み出す。インテロス技術は現在の世代のコンピュータ及び携帯装置と良好に相互作用するが、理想的には、インテロシタは携帯デジタル装置の費用／性能における前進を提供する。インテロシタは、理想的には約１６：９のアスペクト比を有する携帯タッチスクリーンから構成される。全ての仮想ボタン機能がインテロス・ドット・コム又はインテロス企業版により提供されるため、前記タッチスクリーンは最も便利なボタンの必要性を消去する。機能の全範囲についての追加のハードウェアは、タッチスクリーンの後方に組み込まれ得る。
【００７９】
最小の組み込み済オペレーティングシステムは、ドライバをハードウェアに結合し、組み込み済ウェブブラウザと組み込み済ランタイム環境のためのプラットフォームを提供する。組み込み済オペレーティングシステムのための多数の無料又はオープンのソースソリューション、モジラ・ゲッコーベースのウェブブラウザ並びにランタイム環境及び／又は仮想マシン（ジャバを含む）が既に存在し、多数の組み合わせにより配置され得る。インテロス・ドット・コム又はインテロス企業版サーバへの接続のために、無線／セルラー技術が使用される。典型的にはスピーカ／マイクロホンの組み合わせである音声変換機が、音声呼び出し及びＡ／Ｖ（音声／映像）再生のために提供され得る。音声呼び出しは、標準セルラー技術を介して、又はジャバボイス・オーバー・インターネット・プロトコル（ＶＯＩＰ）アプリケーションにより達成され得る。追加の特徴は、三次元画面、ＵＨＦ及び／又は赤外線通信能力、ＵＳＢ及びファイアワイアを含む有線入力のポート複製を含み得る。インテロシタは、折り畳み筐体を含む種々の方法によりパッケージ化され得る。
【００８０】
本明細書において上述したインテロスシステムは、クライアントマシンにおける単独モードによる使用のためのアプリケーションコードのダウンロードを可能にするダウンロードの特徴を含むように拡張され得る。そのようなダウンロードされたソフトウェアは、その後、例えばネットワーク接続が利用可能でないときに、サーバ上に格納されたデータよりむしろ、局所的に格納されたデータ上において実行され得る。典型的にはアプリケーションコードはジャバにより書かれているため、そのようなオフライン動作はジャバ仮想マシンがクライアント上において利用可能である限り可能である。この強化は、インテロスシステムに追加された柔軟性をもたらす。
【００８１】
また、サーバ上のアプリケーションコードはオープンソースコードであり得て、それにより最終ユーザに対して変更の目的のための自由なアクセスを可能にする。資格のあるソフトウェア開発者に新規なアプリケーションをインテロスサーバに加える方法を与えることにより、開発者は新規なアプリケーションを提供し、又は既存のアプリケーションを強化することを奨励される。その結果、インテロスは単一の機関により排他的に作成され、所有され、管理されたいかなるシステムより遥かに動的になる。
【００８２】
特定の動作要求及び環境に適合するために変化させられる他の変形及び変更は当業者には明白であるため、本発明は開示の目的のために選択された実施例に限定されて考えられず、本発明の真の精神及び範囲からの逸脱を構成しない全ての変更及び変形に及ぶ。
【００８３】
このように本発明を説明したが、特許証による保護が所望されることは、添付の特許請求の範囲に提示される。
【図面の簡単な説明】
【００８４】
【図１】図１は、本発明のインターネットベースのオペレーティングシステムの概要の構造的表現である。
【図２】図２は、本発明のインテロスの実施形態のログイン画面の画面写真である。
【図３】図３は、本発明のインテロスの実施形態のヘルプ画面の上に典型的なマウスポイントを移動させる画面写真である。
【図４】図４は、本発明のインテロスの実施形態の新規メニューの画面写真である。
【図５】図５は、本発明のインテロスの実施形態の開くメニューの画面写真である。
【図６】図６は、本発明のインテロスの実施形態の次のメニューの画面写真である。
【図７】図７は、本発明のインテロスの実施形態の設定メニューの画面写真である。
【図１】
2008545181.tif 000003
【図２】
2008545181.tif 000004
【図３】
2008545181.tif 000005
【図４】
2008545181.tif 000006
【図５】
2008545181.tif 000007
【図６】
2008545181.tif 000008
【図７】
2008545181.tif 000009
【国際調査報告】
2008545181.tif 000010